(57)【要約】【課題】無線基地局ＤｅＮＢが、受信した「ＲＡ  Ｐｒｅａｍｂｌｅ」の送信元を把握する。【解決手段】本発明に係る移動通信方法は、移動局ＵＥが、受信したＳＩＢに含まれる移動局ＵＥ用ＲＡＣＨ_ＲＯＯＴ_ＳＥＱＵＥＮＣＥに基づいて、「ＲＡ  Ｐｒｅａｍｂｌｅ」を生成し、無線基地局ＤｅＮＢに対して送信する工程と、リレーノードＲＮが、受信したＳＩＢに含まれるリレーノードＲＮ用ＲＡＣＨ_ＲＯＯＴ_ＳＥＱＵＥＮＣＥに基づいて、「ＲＡ  Ｐｒｅａｍｂｌｅ」を生成し、無線基地局ＤｅＮＢに対して送信する工程と、無線基地局ＤｅＮＢが、受信した「ＲＡ  Ｐｒｅａｍｂｌｅ」の送信元が移動局ＵＥ或いはリレーノードＥＮのどちらであるかについて判定する工程とを有する。【選択図】図５
2012019396.tif 000002
【特許請求の範囲】
【請求項１】
無線基地局が、移動局用生成情報及びリレーノード用生成情報を含む報知情報を送信する工程と、
移動局が、受信した前記報知情報に含まれる前記移動局用生成情報に基づいて、ランダムアクセスプリアンブルを生成し、前記無線基地局に対して送信する工程と、
リレーノードが、受信した前記報知情報に含まれる前記リレーノード用生成情報に基づいて、ランダムアクセスプリアンブルを生成し、前記無線基地局に対して送信する工程と、
前記無線基地局が、受信した前記ランダムアクセスプリアンブルの送信元が移動局或いはリレーノードのどちらであるかについて判定する工程とを有することを特徴とする移動通信方法。
【請求項２】
無線基地局が、リレーノード用ランダムアクセスプリアンブル範囲を示す報知情報を送信する工程と、
リレーノードが、前記リレーノード用ランダムアクセスプリアンブル範囲内のランダムアクセスプリアンブルを、前記無線基地局に対して送信する工程と、
前記無線基地局が、受信した前記ランダムアクセスプリアンブルの送信元が移動局或いはリレーノードのどちらであるかについて判定する工程とを有することを特徴とする移動通信方法。
【請求項３】
前記リレーノードが、ＭＢＳＦＮサブフレーム以外のサブフレームで、前記移動局に対して信号を送信する工程と、
前記無線基地局が、受信した前記ランダムアクセスプリアンブルの送信元がリレーノードであると判定した場合に、前記ＭＢＳＦＮサブフレームで、前記リレーノードに対して、ランダムアクセスレスポンスを送信する工程とを有することを特徴とする請求項１又は２に記載の移動通信方法。
【請求項４】
移動局用生成情報及びリレーノード用生成情報を含む報知情報を送信するように構成されている報知情報送信部と、
受信したランダムアクセスプリアンブルの送信元が移動局或いはリレーノードのどちらであるかについて判定するように構成されている判定部とを具備することを特徴とする無線基地局。
【請求項５】
リレーノード用ランダムアクセスプリアンブル範囲を示す報知情報を送信するように構成されている報知情報送信部と、
受信した前記ランダムアクセスプリアンブルの送信元が移動局或いはリレーノードのどちらであるかについて判定するように構成されている判定部とを具備することを特徴とする無線基地局。
【請求項６】
前記判定部が、前記ランダムアクセスプリアンブルの送信元がリレーノードであると判定した場合に、ＭＢＳＦＮサブフレームで、該リレーノードに対して、ランダムアクセスレスポンスを送信するように構成されているランダムアクセスプロシージャ実行部を具備しており、
前記ＭＢＳＦＮサブフレームでは、前記リレーノードによる移動局宛ての信号の送信が行われないことを特徴とする請求項４又は５に記載の無線基地局。
【発明の詳細な説明】
【技術分野】
【０００１】
本発明は、移動通信方法及び無線基地局に関する。
【背景技術】
【０００２】
図１１に、３ＧＰＰで規定されている「ｃｏｎｔｅｎｔｉｏｎ  ｂａｓｅｄ  Ｒａｎｄｏｍ  Ａｃｃｅｓｓプロシージャ」を示す。
【０００３】
具体的には、図１１に示すように、ステップ１において、移動局ＵＥが、無線基地局ｅＮＢに対して、「Ｒａｎｄｏｍ  Ａｃｃｅｓｓ（ＲＡ）  Ｐｒｅａｍｂｌｅ」を送信し、ステップ２において、無線基地局ｅＮＢが、移動局ＵＥに対して、「Ｒａｎｄｏｍ  Ａｃｃｅｓｓ（ＲＡ）  Ｒｅｓｐｏｎｓｅ」を送信する。
【０００４】
ステップ３において、移動局ＵＥが、無線基地局ｅＮＢに対して、「Ｓｃｈｅｄｕｌｅ  Ｔｒａｎｓｍｉｓｓｉｏｎ」を送信し、ステップ４において、無線基地局ｅＮＢが、移動局ＵＥに対して、「Ｃｏｎｔｅｎｔｉｏｎ  Ｒｅｓｏｌｕｔｉｏｎ」を送信する。
【先行技術文献】
【非特許文献】
【０００５】
【非特許文献１】３ＧＰＰ  ＴＳ３６.３００  １０.１.５.１
【発明の概要】
【発明が解決しようとする課題】
【０００６】
ＬＴＥ（Ｌｏｎｇ  Ｔｅｒｍ  Ｅｖｏｌｕｔｉｏｎ）-Ａｄｖａｎｃｅｄ方式では、移動局ＵＥは、リレーノードＲＮを介して、無線基地局ＤｅＮＢに接続することができるように構成されている。
【０００７】
かかるリレーノードＲＮも、移動局ＵＥと同様に、無線基地局ＤｅＮＢとの間で、上述のＲＡプロシージャを実行することができるように構成されている。
【０００８】
また、リレーノードＲＮは、「Ｈａｌｆ  Ｄｕｐｌｅｘ  ｉｎｂａｎｄ  ｒｅｌａｙ」として動作している場合、ＭＢＳＦＮ（ＭＢＭＳ  Ｓｉｎｇｌｅ  Ｆｒｅｑｕｅｎｃｙ  Ｎｅｔｗｏｒｋ）サブフレーム以外のサブフレームで、移動局ＵＥに対して信号を送信し、ＭＢＳＦＮサブフレームでは、移動局ＵＥに対して信号を送信しないように構成されている。
【０００９】
したがって、かかるＲＡプロシージャにおいて、無線基地局ＤｅＮＢは、干渉を避けるために、リレーノードＲＮに対して、ＭＢＳＦＮサブフレームで、「ＲＡ  Ｒｅｓｐｏｎｓｅ」を送信する必要がある。
【００１０】
しかしながら、上述のＲＡプロシージャでは、無線基地局ＤｅＮＢは、「ＲＡ  Ｐｒｅａｍｂｌｅ」を受信した時点で、かかる「ＲＡ  Ｐｒｅａｍｂｌｅ」の送信元がリレーノードＲＮであるか否かについて把握することができないため、リレーノードＲＮに対して、ＭＢＳＦＮサブフレームで、「ＲＡ  Ｒｅｓｐｏｎｓｅ」を送信することができないという問題点があった。
【００１１】
そこで、本発明は、上述の課題に鑑みてなされたものであり、無線基地局ＤｅＮＢが、受信した「ＲＡ  Ｐｒｅａｍｂｌｅ」の送信元を把握することができる移動通信方法及び無線基地局を提供することを目的とする。
【課題を解決するための手段】
【００１２】
本発明の第１の特徴は、移動通信方法であって、無線基地局が、移動局用生成情報及びリレーノード用生成情報を含む報知情報を送信する工程と、移動局が、受信した前記報知情報に含まれる前記移動局用生成情報に基づいて、ランダムアクセスプリアンブルを生成し、前記無線基地局に対して送信する工程と、リレーノードが、受信した前記報知情報に含まれる前記リレーノード用生成情報に基づいて、ランダムアクセスプリアンブルを生成し、前記無線基地局に対して送信する工程と、前記無線基地局が、受信した前記ランダムアクセスプリアンブルの送信元が移動局或いはリレーノードのどちらであるかについて判定する工程とを有することを要旨とする。
【００１３】
本発明の第２の特徴は、移動通信方法であって、無線基地局が、リレーノード用ランダムアクセスプリアンブル範囲を示す報知情報を送信する工程と、リレーノードが、前記リレーノード用ランダムアクセスプリアンブル範囲内のランダムアクセスプリアンブルを、前記無線基地局に対して送信する工程と、前記無線基地局が、受信した前記ランダムアクセスプリアンブルの送信元が移動局或いはリレーノードのどちらであるかについて判定する工程とを有することを要旨とする。
【００１４】
本発明の第３の特徴は、無線基地局であって、移動局用生成情報及びリレーノード用生成情報を含む報知情報を送信するように構成されている報知情報送信部と、受信したランダムアクセスプリアンブルの送信元が移動局或いはリレーノードのどちらであるかについて判定するように構成されている判定部とを具備することを要旨とする。
【００１５】
本発明の第４の特徴は、無線基地局であって、リレーノード用ランダムアクセスプリアンブル範囲を示す報知情報を送信するように構成されている報知情報送信部と、受信した前記ランダムアクセスプリアンブルの送信元が移動局或いはリレーノードのどちらであるかについて判定するように構成されている判定部とを具備することを要旨とする。
【発明の効果】
【００１６】
以上説明したように、本発明によれば、無線基地局ＤｅＮＢが、受信した「ＲＡ  Ｐｒｅａｍｂｌｅ」の送信元を把握することができる移動通信方法及び無線基地局を提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるＳＩＢ内の情報要素「ＰＲＡＣＨ-Ｃｏｎｆｉｇ」のフォーマットの一例を示す図である。
【図４】本発明の第１の実施形態に係るリレーノードの機能ブロック図である。
【図５】本発明の第１の実施形態に係る移動通信システムの動作を示すフローチャートである。
【図６】本発明の第１の実施形態に係る移動通信システムの動作を示すシーケンス図である。
【図７】本発明の第２の実施形態に係る無線基地局によって割り当てられるＲＮ用Ｐｒｅａｍｂｌｅについて説明するための図である。
【図８】本発明の第１の実施形態に係る無線基地局によって送信されるＳＩＢ内の情報要素「ＲＡＣＨ-ＣｏｎｆｉｇＣｏｍｍｏｎ」のフォーマットの一例を示す図である。
【図９】本発明の第２の実施形態に係る移動通信システムの動作を示すフローチャートである。
【図１０】本発明の第２の実施形態に係る移動通信システムの動作を示すシーケンス図である。
【図１１】従来の移動通信システムの問題点を説明するための図である。
【発明を実施するための形態】
【００１８】
（本発明の第１の実施形態に係る移動通信システム）
図１乃至図６を参照して、本発明の第１の実施形態に係る移動通信システムについて説明する。
【００１９】
図１に示すように、本実施形態に係る移動通信システムは、ＬＴＥ-Ａｄｖａｎｃｅｄ方式の移動通信システムであって、無線基地局ＤｅＮＢと、リレーノードＲＮとを具備している。
【００２０】
ここで、無線基地局ＤｅＮＢとリレーノードＲＮとの間は、Ｕｎインターフェイスによって接続されており、リレーノードＲＮと移動局ＵＥとの間は、ＲＮ-Ｕｕインターフェイスによって接続されている。
【００２１】
図２に示すように、無線基地局ＤｅＮＢは、報知情報送信部１１と、ＲＡプロシージャ実行部１２と、判定部１３とを具備している。
【００２２】
報知情報送信部１１は、配下のセルに対して、報知情報として、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）を送信するように構成されている。
【００２３】
ここで、報知情報送信部１１は、移動局ＵＥ用ＲＡＣＨ_ＲＯＯＴ_ＳＥＱＵＥＮＣＥ及びリレーノードＲＮ用ＲＡＣＨ_ＲＯＯＴ_ＳＥＱＵＥＮＣＥを含むＳＩＢを送信するように構成されている。
【００２４】
例えば、図３に示すように、報知情報送信部１１は、ＳＩＢ内の情報要素「ＰＲＡＣＨ-Ｃｏｎｆｉｇ」内の情報要素「ｒｏｏｔＳｅｑｕｅｎｃｅＩｎｄｅｘ」に移動局ＵＥ用ＲＡＣＨ_ＲＯＯＴ_ＳＥＱＵＥＮＣＥを設定し、ＳＩＢ内の情報要素「ＰＲＡＣＨ-Ｃｏｎｆｉｇ」内の情報要素「ｒｏｏｔＳｅｑｕｅｎｃｅＩｎｄｅｘＲＮ」にリレーノードＲＮ用ＲＡＣＨ_ＲＯＯＴ_ＳＥＱＵＥＮＣＥを設定するように構成されている。
【００２５】
ＲＡプロシージャ実行部１２は、移動局ＵＥ及びリレーノードＲＮとの間で、ＲＡプロシージャを行うように構成されている。
【００２６】
判定部１３は、ＲＡプロシージャ実行部１２によって受信された「ＲＡ  Ｐｒｅａｍｂｌｅ」の送信元が移動局ＵＥ或いはリレーノードＲＮのどちらであるかについて判定するように構成されている。
【００２７】
具体的には、判定部１３は、上述の「ＲＡ  Ｐｒｅａｍｂｌｅ」の生成に用いられたＲＡＣＨ_ＲＯＯＴ_ＳＥＱＵＥＮＣＥを調べることで、かかる「ＲＡ  Ｐｒｅａｍｂｌｅ」の送信元が移動局ＵＥ或いはリレーノードＲＮのどちらであるかについて判定するように構成されていてもよい。
【００２８】
なお、判定部１３は、「ＲＡ  Ｐｒｅａｍｂｌｅ」とＲＡＣＨ_ＲＯＯＴ_ＳＥＱＵＥＮＣＥとを対応付けるテーブルを管理しており、かかるテーブルを参照して、上述の「ＲＡ  Ｐｒｅａｍｂｌｅ」の送信元が移動局ＵＥ或いはリレーノードＲＮのどちらであるかについて判定するように構成されていてもよい。
【００２９】
ここで、判定部１３が、上述の「ＲＡ  Ｐｒｅａｍｂｌｅ」の送信元がリレーノードＲＮであると判定した場合に、ＲＡプロシージャ実行部１２は、ＭＢＳＦＮサブフレーム（バックホールサブフレーム）で、リレーノードＲＮに対して、「ＲＡ  Ｒｅｓｐｏｎｓｅ」を送信するように構成されている。
【００３０】
図４に示すように、リレーノードＲＮは、報知情報受信部２１と、ＲＡプロシージャ実行部２２とを具備している。
【００３１】
報知情報受信部２１は、無線基地局ＤｅＮＢによって送信された報知情報を受信するように構成されている。
【００３２】
ＲＡプロシージャ実行部２２は、無線基地局ＤｅＮＢとの間で、ＲＡプロシージャを行うように構成されている。
【００３３】
ここで、ＲＡプロシージャ実行部２２は、報知情報受信部２１によって受信されたＳＩＢに含まれるリレーノードＲＮ用ＲＡＣＨ_ＲＯＯＴ_ＳＥＱＵＥＮＣＥに基づいて、「ＲＡ  Ｐｒｅａｍｂｌｅ」を生成し、無線基地局ＤｅＮＢに対して送信するように構成されている。
【００３４】
以下、図５及び図６を参照して、本実施形態に係る移動通信システムの動作について説明する。
【００３５】
ここで、リレーノードＲＮは、「Ｈａｌｆ  Ｄｕｐｌｅｘ  ｉｎｂａｎｄ  ｒｅｌａｙ」として動作している場合、ＭＢＳＦＮサブフレーム以外のサブフレームで、移動局ＵＥに対して信号を送信し、ＭＢＳＦＮサブフレームでは、移動局ＵＥに対して信号を送信していないものとする。
【００３６】
ステップＳ１００１において、無線基地局ＤｅＮＢは、情報要素「ＰＲＡＣＨ-Ｃｏｎｆｉｇ」内の情報要素「ｒｏｏｔＳｅｑｕｅｎｃｅＩｎｄｅｘ」に移動局ＵＥ用ＲＡＣＨ_ＲＯＯＴ_ＳＥＱＵＥＮＣＥを設定し、情報要素「ＰＲＡＣＨ-Ｃｏｎｆｉｇ」内の情報要素「ｒｏｏｔＳｅｑｕｅｎｃｅＩｎｄｅｘＲＮ」にリレーノードＲＮ用ＲＡＣＨ_ＲＯＯＴ_ＳＥＱＵＥＮＣＥを設定したＳＩＢを送信する。
【００３７】
ステップＳ１００２Ａにおいて、リレーノードＲＮは、「ｒｅｌａｙ」として、具体的には、「Ｈａｌｆ  Ｄｕｐｌｅｘ  ｉｎｂａｎｄ  ｒｅｌａｙ」として動作しているか否かについて判定する。
【００３８】
リレーノードＲＮは、「ｒｅｌａｙ」として、具体的には、「Ｈａｌｆ  Ｄｕｐｌｅｘ  ｉｎｂａｎｄ  ｒｅｌａｙ」として動作していると判定した場合、ステップＳ１００２Ｂにおいて、ＳＩＢに含まれるリレーノードＲＮ用ＲＡＣＨ_ＲＯＯＴ_ＳＥＱＵＥＮＣＥに基づいて、「ＲＡ  Ｐｒｅａｍｂｌｅ」を生成する。
【００３９】
一方、リレーノードＲＮは、「ｒｅｌａｙ」として動作していない、すなわち、「ＵＥ」として動作していると判定した場合、ステップＳ１００２Ｃにおいて、ＳＩＢに含まれる移動局ＵＥ用ＲＡＣＨ_ＲＯＯＴ_ＳＥＱＵＥＮＣＥに基づいて、「ＲＡ  Ｐｒｅａｍｂｌｅ」を生成する。
【００４０】
ステップＳ１００２Ｄにおいて、リレーノードＲＮは、生成した「ＲＡ  Ｐｒｅａｍｂｌｅ」を、無線基地局ＤｅＮＢに対して送信する。
【００４１】
ステップＳ１００３Ａにおいて、無線基地局ＤｅＮＢは、受信した「ＲＡ  Ｐｒｅａｍｂｌｅ」の送信元が移動局ＵＥ或いはリレーノードＲＮのどちらであるかについて判定する。
【００４２】
無線基地局ＤｅＮＢは、受信した「ＲＡ  Ｐｒｅａｍｂｌｅ」の送信元がリレーノードＲＮであると判定した場合、ステップＳ１００３Ｂにおいて、ＭＢＳＦＮサブフレームで、リレーノードＲＮに対して、「ＲＡ  Ｒｅｓｐｏｎｓｅ」を送信する。
【００４３】
一方、無線基地局ＤｅＮＢは、受信した「ＲＡ  Ｐｒｅａｍｂｌｅ」の送信元が移動局ＵＥであると判定した場合、ステップＳ１００３Ｃにおいて、通常のサブフレームで、移動局ＵＥに対して、「ＲＡ  Ｒｅｓｐｏｎｓｅ」を送信する。
【００４４】
ステップＳ１００４において、リレーノードＲＮが、無線基地局ｅＮＢに対して、「Ｓｃｈｅｄｕｌｅ  Ｔｒａｎｓｍｉｓｓｉｏｎ」を送信し、ステップＳ１００５において、無線基地局ｅＮＢが、リレーノードＲＮに対して、「Ｃｏｎｔｅｎｔｉｏｎ  Ｒｅｓｏｌｕｔｉｏｎ」を送信する。
【００４５】
本実施形態に係る移動通信システムによれば、無線基地局ｅＮＢは、受信した「ＲＡ  Ｐｒｅａｍｂｌｅ」の生成に用いられたＲＡＣＨ_ＲＯＯＴ_ＳＥＱＵＥＮＣＥを調べることで、かかる「ＲＡ  Ｐｒｅａｍｂｌｅ」の送信元が移動局ＵＥ或いはリレーノードＲＮのどちらであるかについて判定することができる。
【００４６】
（本発明の第２の実施形態に係る移動通信システム）
図７乃至図１０を参照して、本発明の第２の実施形態に係る移動通信システムについて説明する。以下、本実施形態に係る移動通信システムについて、上述の第１の実施形態に係る移動通信システムとの相違点に着目して説明する。
【００４７】
従来の移動通信システムでは、図７（ａ）に示すように、６４個の「ＲＡ  Ｐｒｅａｍｂｌｅ」は、２つのパラメータ「ｎｕｍｂｅｒＯｆＲＡ-Ｐｒｅａｍｂｌｅｓ」及び「ｎｕｍｂｅｒＯｆＲＡ-ＰｒｅａｍｂｌｅｓＧｒｏｕｐＡ」によって分割されている。
【００４８】
図７（ａ）の例では、「ＲＡ  Ｐｒｅａｍｂｌｅ＃０」〜「ＲＡ  Ｐｒｅａｍｂｌｅ＃６０」は、ｃｏｎｔｅｎｔｉｏｎ用の「ＲＡ  Ｐｒｅａｍｂｌｅ」として確保されており、「ＲＡ  Ｐｒｅａｍｂｌｅ＃６１」〜「ＲＡ  Ｐｒｅａｍｂｌｅ＃６３」は、ｎｏｎ-ｃｏｎｔｅｎｔｉｏｎ用の「ＲＡ  Ｐｒｅａｍｂｌｅ」として確保されている。
【００４９】
また、ｃｏｎｔｅｎｔｉｏｎ用の「ＲＡ  Ｐｒｅａｍｂｌｅ」のうち、「ＲＡ  Ｐｒｅａｍｂｌｅ＃０」〜「ＲＡ  Ｐｒｅａｍｂｌｅ＃４７」は、小さい電力による送信用の「ＲＡ  Ｐｒｅａｍｂｌｅ」として確保されており、「ＲＡ  Ｐｒｅａｍｂｌｅ＃４８」〜「ＲＡ  Ｐｒｅａｍｂｌｅ＃６０」は、大きい電力による送信用の「ＲＡ  Ｐｒｅａｍｂｌｅ」として確保されている。
【００５０】
これに対して、本実施形態に係る移動通信システムでは、図７（ｂ）に示すように、６４個の「ＲＡ  Ｐｒｅａｍｂｌｅ」は、３つのパラメータ「ｎｕｍｂｅｒＯｆＲＡ-Ｐｒｅａｍｂｌｅｓ」、「ｎｕｍｂｅｒＯｆＲＡ-ＰｒｅａｍｂｌｅｓＲＮ」及び「ｎｕｍｂｅｒＯｆＲＡ-ＰｒｅａｍｂｌｅｓＧｒｏｕｐＡ」によって分割されている。
【００５１】
図７（ｂ）の例では、「ＲＡ  Ｐｒｅａｍｂｌｅ＃０」〜「ＲＡ  Ｐｒｅａｍｂｌｅ＃３２」は、ｃｏｎｔｅｎｔｉｏｎ用の「ＲＡ  Ｐｒｅａｍｂｌｅ」（移動局ＵＥ用の「ＲＡ  Ｐｒｅａｍｂｌｅ」）として確保されており、「ＲＡ  Ｐｒｅａｍｂｌｅ＃３３」〜「ＲＡ  Ｐｒｅａｍｂｌｅ＃６０」は、ｃｏｎｔｅｎｔｉｏｎ用の「ＲＡ  Ｐｒｅａｍｂｌｅ」（リレーノードＲＮ用の「ＲＡ  Ｐｒｅａｍｂｌｅ」）として確保されており、「ＲＡ  Ｐｒｅａｍｂｌｅ＃６１」〜「ＲＡ  Ｐｒｅａｍｂｌｅ＃６３」は、ｎｏｎ-ｃｏｎｔｅｎｔｉｏｎ用の「ＲＡ  Ｐｒｅａｍｂｌｅ」として確保されている。
【００５２】
ここで、「ｎｕｍｂｅｒＯｆＲＡ-ＰｒｅａｍｂｌｅｓＲＮ」が、ＲＮ用の「ＲＡ  Ｐｒｅａｍｂｌｅ」の範囲「ＲＡ  Ｐｒｅａｍｂｌｅ＃３３」〜「ＲＡ  Ｐｒｅａｍｂｌｅ＃６０」を示すパラメータである。
【００５３】
例えば、図３に示すように、報知情報送信部１１は、ＳＩＢ内の情報要素「ＲＡＣＨ-ＣｏｎｆｉｇＣｏｍｍｏｎ」内の情報要素「ｎｕｍｂｅｒＯｆＲＡ-Ｐｒｅａｍｂｌｅｓ」にＵＥ用の「ＲＡ  Ｐｒｅａｍｂｌｅ」の範囲を設定し、ＳＩＢ内の情報要素「ＲＡＣＨ-ＣｏｎｆｉｇＣｏｍｍｏｎ」内の情報要素「ｎｕｍｂｅｒＯｆＲＡ-ＰｒｅａｍｂｌｅｓＲＮ」にＲＮ用の「ＲＡ  Ｐｒｅａｍｂｌｅ」の範囲を設定するように構成されている。
【００５４】
なお、判定部１３は、受信した「ＲＡ  Ｐｒｅａｍｂｌｅ」が属する範囲に基づいて、かかる「ＲＡ  Ｐｒｅａｍｂｌｅ」の送信元が移動局ＵＥ或いはリレーノードＲＮのどちらであるかについて判定するように構成されている。
【００５５】
以下、図９及び図１０を参照して、本実施形態に係る移動通信システムの動作について説明する。
【００５６】
ここで、リレーノードＲＮは、「Ｈａｌｆ  Ｄｕｐｌｅｘ  ｉｎｂａｎｄ  ｒｅｌａｙ」として動作している場合、ＭＢＳＦＮサブフレーム以外のサブフレームで、移動局ＵＥに対して信号を送信し、ＭＢＳＦＮサブフレームでは、移動局ＵＥに対して信号を送信していないものとする。
【００５７】
ステップＳ２００１において、無線基地局ＤｅＮＢは、情報要素「ＲＡＣＨ-ＣｏｎｆｉｇＣｏｍｍｏｎ」内の情報要素「ｎｕｍｂｅｒＯｆＲＡ-Ｐｒｅａｍｂｌｅｓ」にＵＥ用の「ＲＡ  Ｐｒｅａｍｂｌｅ」の範囲を設定し、情報要素「ＲＡＣＨ-ＣｏｎｆｉｇＣｏｍｍｏｎ」内の情報要素「ｎｕｍｂｅｒＯｆＲＡ-ＰｒｅａｍｂｌｅｓＲＮ」にＲＮ用の「ＲＡ  Ｐｒｅａｍｂｌｅ」の範囲を設定したＳＩＢを送信する。
【００５８】
ステップＳ２００２Ａにおいて、リレーノードＲＮは、「ｒｅｌａｙ」として、具体的には、「Ｈａｌｆ  Ｄｕｐｌｅｘ  ｉｎｂａｎｄ  ｒｅｌａｙ」として動作しているか否かについて判定する。
【００５９】
リレーノードＲＮは、「ｒｅｌａｙ」として、具体的には、「Ｈａｌｆ  Ｄｕｐｌｅｘ  ｉｎｂａｎｄ  ｒｅｌａｙ」として動作していると判定した場合、ステップＳ２００２Ｂにおいて、ＳＩＢに含まれるＲＮ用の「ＲＡ  Ｐｒｅａｍｂｌｅ」の範囲内の「ＲＡ  Ｐｒｅａｍｂｌｅ」を生成する。
【００６０】
一方、リレーノードＲＮは、「ｒｅｌａｙ」として動作していない、すなわち、「ＵＥ」として動作していると判定した場合、ステップＳ２００２Ｃにおいて、ＳＩＢに含まれるＳＩＢに含まれるＵＥ用の「ＲＡ  Ｐｒｅａｍｂｌｅ」の範囲内の「ＲＡ  Ｐｒｅａｍｂｌｅ」を生成する。
【００６１】
ステップＳ２００２Ｄにおいて、リレーノードＲＮは、生成した「ＲＡ  Ｐｒｅａｍｂｌｅ」を、無線基地局ＤｅＮＢに対して送信する。
【００６２】
ステップＳ２００３Ａにおいて、無線基地局ＤｅＮＢは、受信した「ＲＡ  Ｐｒｅａｍｂｌｅ」の送信元が移動局ＵＥ或いはリレーノードＲＮのどちらであるかについて判定する。
【００６３】
無線基地局ＤｅＮＢは、受信した「ＲＡ  Ｐｒｅａｍｂｌｅ」の送信元がリレーノードＲＮであると判定した場合、ＭＢＳＦＮサブフレームで、リレーノードＲＮに対して、「ＲＡ  Ｒｅｓｐｏｎｓｅ」を送信する。
【００６４】
一方、無線基地局ＤｅＮＢは、受信した「ＲＡ  Ｐｒｅａｍｂｌｅ」の送信元が移動局ＵＥであると判定した場合、通常のサブフレームで、移動局ＵＥに対して、「ＲＡ  Ｒｅｓｐｏｎｓｅ」を送信する。
【００６５】
ステップＳ２００４において、リレーノードＲＮが、無線基地局ｅＮＢに対して、「Ｓｃｈｅｄｕｌｅ  Ｔｒａｎｓｍｉｓｓｉｏｎ」を送信し、ステップＳ２００５において、無線基地局ｅＮＢが、リレーノードＲＮに対して、「Ｃｏｎｔｅｎｔｉｏｎ  Ｒｅｓｏｌｕｔｉｏｎ」を送信する。
【００６６】
本実施形態に係る移動通信システムによれば、無線基地局ｅＮＢは、受信した「ＲＡ  Ｐｒｅａｍｂｌｅ」が属する範囲を調べることで、かかる「ＲＡ  Ｐｒｅａｍｂｌｅ」の送信元が移動局ＵＥ或いはリレーノードＲＮのどちらであるかについて判定することができる。
【００６７】
以上に述べた本実施形態の特徴は、以下のように表現されていてもよい。
【００６８】
本実施形態の第１の特徴は、移動通信方法であって、無線基地局ＤｅＮＢが、移動局ＵＥ用ＲＡＣＨ_ＲＯＯＴ_ＳＥＱＵＥＮＣＥ（移動局用生成情報）及びリレーノードＲＮ用ＲＡＣＨ_ＲＯＯＴ_ＳＥＱＵＥＮＣＥ（リレーノード用生成情報）を含むＳＩＢ（報知情報）を送信する工程と、移動局ＵＥが、受信したＳＩＢに含まれる移動局ＵＥ用ＲＡＣＨ_ＲＯＯＴ_ＳＥＱＵＥＮＣＥに基づいて、「ＲＡ  Ｐｒｅａｍｂｌｅ（ランダムアクセスプリアンブル）」を生成し、無線基地局ＤｅＮＢに対して送信する工程と、リレーノードＲＮが、受信したＳＩＢに含まれるリレーノードＲＮ用ＲＡＣＨ_ＲＯＯＴ_ＳＥＱＵＥＮＣＥに基づいて、「ＲＡ  Ｐｒｅａｍｂｌｅ」を生成し、無線基地局ＤｅＮＢに対して送信する工程と、無線基地局ＤｅＮＢが、受信した「ＲＡ  Ｐｒｅａｍｂｌｅ」の送信元が移動局ＵＥ或いはリレーノードＥＮのどちらであるかについて判定する工程とを有することを要旨とする。
【００６９】
本実施形態の第２の特徴は、移動通信方法であって、無線基地局ＤｅＮＢが、ＲＮ用の「ＲＡ  Ｐｒｅａｍｂｌｅ」の範囲（リレーノード用ランダムアクセスプリアンブル範囲）を示すＳＩＢを送信する工程と、リレーノードＲＮが、ＲＮ用の「ＲＡ  Ｐｒｅａｍｂｌｅ」の範囲内の「ＲＡ  Ｐｒｅａｍｂｌｅ」を、無線基地局ＤｅＮＢに対して送信する工程と、無線基地局ＤｅＮＢが、受信した「ＲＡ  Ｐｒｅａｍｂｌｅ」の送信元が移動局ＵＥ或いはリレーノードＲＮのどちらであるかについて判定する工程とを有することを要旨とする。
【００７０】
本実施形態の第１及び第２の特徴において、リレーノードＲＮが、ＭＢＳＦＮサブフレーム以外のサブフレームで、移動局ＵＥに対して信号を送信する工程と、無線基地局ＤｅＮＢが、受信した「ＲＡ  Ｐｒｅａｍｂｌｅ」の送信元がリレーノードＲＮであると判定した場合に、ＭＢＳＦＮサブフレームで、リレーノードＲＮに対して、「ＲＡ  Ｒｅｓｐｏｎｓｅ（ランダムアクセスレスポンス）」を送信する工程とを有してもよい。
【００７１】
本実施形態の第３の特徴は、無線基地局ＤｅＮＢであって、移動局ＵＥ用ＲＡＣＨ_ＲＯＯＴ_ＳＥＱＵＥＮＣＥ及びリレーノードＲＮ用ＲＡＣＨ_ＲＯＯＴ_ＳＥＱＵＥＮＣＥを含むＳＩＢを送信するように構成されている報知情報送信部１１と、受信した「ＲＡ  Ｐｒｅａｍｂｌｅ」の送信元が移動局ＵＥ或いはリレーノードＲＮのどちらであるかについて判定するように構成されている判定部１３とを具備することを要旨とする。
【００７２】
本実施形態の第４の特徴は、無線基地局ＤｅＮＢであって、ＲＮ用の「ＲＡ  Ｐｒｅａｍｂｌｅ」の範囲を示すＳＩＢを送信するように構成されている報知情報送信部１１と、受信した「ＲＡ  Ｐｒｅａｍｂｌｅ」の送信元が移動局ＵＥ或いはリレーノードＲＮのどちらであるかについて判定するように構成されている判定部１３とを具備することを要旨とする。
【００７３】
本実施形態の第３及び第４の特徴において、判定部１３が、「ＲＡ  Ｐｒｅａｍｂｌｅ」の送信元がリレーノードＲＮであると判定した場合に、ＭＢＳＦＮサブフレームで、リレーノードＲＮに対して、「ＲＡ  Ｒｅｓｐｏｎｓｅ」を送信するように構成されているＲＡプロシージャ実行部１２（ランダムアクセスプロシージャ実行部）を具備しており、ＭＢＳＦＮサブフレームでは、リレーノードＲＮによる移動局ＵＥ宛ての信号の送信が行われなくてもよい。
【００７４】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＵＥ…移動局
ＤｅＮＢ…無線基地局
ＲＮ…リレーノード
１１…報知情報送信部
１２、２２…ＲＡプロシージャ実行部
１３…判定部
２１…報知情報受信部
【図１】
2012019396.tif 000003
【図２】
2012019396.tif 000004
【図３】
2012019396.tif 000005
【図４】
2012019396.tif 000006
【図５】
2012019396.tif 000007
【図６】
2012019396.tif 000008
【図７】
2012019396.tif 000009
【図８】
2012019396.tif 000010
【図９】
2012019396.tif 000011
【図１０】
2012019396.tif 000012
【図１１】
2012019396.tif 000013